(57)【特許請求の範囲】
【請求項１】
複数の映像を表示手段の複数の表示領域に表示する映像表示装置であって、
前記複数の映像に対応する複数の映像信号を入力する複数の入力手段と、
前記表示手段の回転を検出することによって前記表示手段の姿勢変更を検出する検出手段と、
前記検出手段によって前記表示手段の姿勢変更が検出された場合、前記複数の映像の表示解像度を制御する解像度制御手段と、
前記検出手段によって前記表示手段の姿勢変更が検出された場合、前記複数の映像の表示位置を制御する表示位置制御手段と、
前記表示位置制御手段の制御指令に従って、前記複数の映像信号と前記表示手段における複数の表示領域との間の対応関係を変更して前記表示手段が回転された方向とは反対方向に沿って前記複数の映像の配置を変更することにより、前記複数の映像信号に係る表示映像の相対的な位置関係を維持する映像配置変更手段を備えることを特徴とする映像表示装置。
【請求項２】
前記複数の映像信号に対する表示可能な解像度の情報を記憶する表示解像度記憶手段をさらに備え、
前記解像度制御手段は、前記検出手段によって前記表示手段の姿勢変更が検出された場合、前記表示可能な解像度の情報を書き換え、前記映像信号を出力する映像出力装置は前記表示可能な解像度の情報を参照することを特徴とする請求項１に記載の映像表示装置。
【請求項３】
複数の映像を表示手段の複数の表示領域に表示する映像表示装置であって、
前記複数の映像に対応する複数の映像信号を入力する複数の入力手段と、
前記表示手段の回転を検出することによって前記表示手段の姿勢変更を検出する検出手段と、
前記検出手段により前記表示手段の姿勢変更が検出された場合、前記複数の映像信号に係る映像を回転させる処理を行う映像回転手段と、
前記映像回転手段によって回転された映像のサイズと前記表示領域のサイズを比較して、映像を拡大又は縮小する処理を行うスケーリング手段と、
前記映像回転手段による映像の回転及び前記スケーリング手段による映像の拡大又は縮小の処理が施された映像を前記表示手段の中央部に寄せる位置変更手段と、
前記位置変更手段が出力する複数の映像信号と前記表示手段における複数の表示領域との間の対応関係を変更して前記表示手段が回転された方向とは反対方向に沿って前記複数の映像の配置を変更することにより、前記複数の映像信号に係る表示映像の相対的な位置関係を維持する映像配置変更手段を備えることを特徴とする映像表示装置。
【請求項４】
前記表示手段の複数の表示領域に対して複数の映像信号を出力する複数の出力手段をさらに備え、
前記映像配置変更手段は、前記検出手段によって前記表示手段の姿勢変更が検出された場合、前記複数の入力手段と前記複数の出力手段との接続関係を変更することを特徴とする請求項１ないし３のいずれか１項に記載の映像表示装置。
【請求項５】
前記検出手段は前記表示手段が横長に設置された状態であるか、または前記表示手段が縦長に設置された状態であるかを検出し、
前記映像配置変更手段は、前記検出手段によって前記表示手段の姿勢変更が検出された場合、前記複数の入力手段と前記複数の出力手段との接続関係を変更して前記複数の映像信号に係る表示映像の相対的な位置関係を維持することを特徴とする請求項４に記載の映像表示装置。
【請求項６】
複数の映像を表示手段の複数の表示領域に表示する映像表示装置にて実行される制御方法であって、
前記映像表示装置が備える複数の入力手段が、前記複数の映像に対応する複数の映像信号を入力する入力ステップと、
前記表示手段の回転を検出することによって前記表示手段の姿勢変更を検出する検出ステップと、
前記検出ステップによって前記表示手段の姿勢変更が検出された場合、前記複数の映像の表示解像度を制御する解像度制御ステップと、
前記検出ステップによって前記表示手段の姿勢変更が検出された場合、前記複数の映像信号と前記表示手段における複数の表示領域との間の対応関係を変更して前記表示手段が回転された方向とは反対方向に沿って前記複数の映像の配置を変更することにより、前記複数の映像信号に係る表示映像の相対的な位置関係を維持する映像配置変更ステップを有することを特徴とする映像表示装置の制御方法。
【請求項７】
前記映像表示装置が備える表示解像度記憶手段が、前記複数の映像信号に対する表示可能な解像度の情報を記憶する表示解像度記憶ステップをさらに有し、
前記解像度制御ステップでは、前記検出ステップによって前記表示手段の姿勢変更が検出された場合、前記表示可能な解像度の情報を書き換え、前記映像信号を出力する映像出力装置は前記表示可能な解像度の情報を参照することを特徴とする請求項６に記載の映像表示装置の制御方法。
【請求項８】
複数の映像を表示手段の複数の表示領域に表示する映像表示装置にて実行される制御方法であって、
前記映像表示装置が備える複数の入力手段が、前記複数の映像に対応する複数の映像信号を入力する入力ステップと、
前記表示手段の回転を検出することによって前記表示手段の姿勢変更を検出する検出ステップと、
前記検出ステップにて前記表示手段の姿勢変更が検出された場合、前記複数の映像信号に係る映像を回転させる処理を行う映像回転ステップと、
前記映像回転ステップにて回転された映像のサイズと前記表示領域のサイズを比較して、映像を拡大又は縮小する処理を行うスケーリングステップと、
前記映像回転ステップでの映像の回転及び前記スケーリングステップでの映像の拡大又は縮小の処理が施された映像を前記表示手段の中央部に寄せる位置変更ステップと、
前記位置変更ステップで得られた複数の映像信号と前記表示手段における複数の表示領域との間の対応関係を変更して前記表示手段が回転された方向とは反対方向に沿って前記複数の映像の配置を変更することにより、前記複数の映像信号に係る表示映像の相対的な位置関係を維持する映像配置変更ステップを有することを特徴とする映像表示装置の制御方法。
【請求項９】
前記映像表示装置が備える複数の出力手段が、前記表示手段の複数の表示領域に対して複数の映像信号を出力する出力ステップをさらに有し、
前記映像配置変更ステップでは、前記検出ステップによって前記表示手段の姿勢変更が検出された場合、前記複数の入力手段と前記複数の出力手段との接続関係を変更することを特徴とする請求項６ないし８のいずれか１項に記載の映像表示装置の制御方法。
【請求項１０】
前記検出ステップでは、前記表示手段が横長に設置された状態であるか、または前記表示手段が縦長に設置された状態であるかを検出し、
前記映像配置変更ステップでは、前記検出ステップによって前記表示手段の姿勢変更が検出された場合、前記複数の入力手段と前記複数の出力手段との接続関係を変更して前記複数の映像信号に係る表示映像の相対的な位置関係を維持することを特徴とする請求項９に記載の映像表示装置の制御方法。
【発明の詳細な説明】
【技術分野】
【０００１】
本発明は、複数の分割映像を合成して画面に表示する場合に、表示部の姿勢が変更されても映像の視認性を低下させないための技術に関する。
【背景技術】
【０００２】
近年、FHD（Full High Definition）を超える高解像度表示に対応可能な映像表示装置が知られており、該装置は複数の低解像度映像の入力信号を受け取り、各々の入力画像を縮小することなく、一画面上に表示する。あるいは、高解像度の映像信号の伝送において、１本の伝送ケーブルでは帯域が不足する場合、複数の伝送ケーブルを用いて映像表示装置に送信する方法が考えられる。複数の伝送ケーブルを通した分割映像信号は映像表示装置にて合成して映像表示が行われる。
ところで、映像表示装置の表示部を回転させることで、その姿勢を縦設置状態と横設置状態に変更可能な装置が知られている。この場合、各入力映像を表示部に表示させる際の表示配置を維持しつつ、視認性を低下させないためには、複数の伝送ケーブルの接続位置をその都度変更しなければならない。つまり、表示画面上での各入力映像の表示位置と、各伝送ケーブルの接続位置との対応関係は予め一意に決められているので、該当する場所に伝送ケーブルを接続する必要がある。
従来、複数の伝送ケーブルを任意の場所に接続した状態で、映像の配置を変更する方法が知られている。その１つは、映像出力装置が映像配置識別番号を含む映像を出力し、カメラ等を用いて映像配置識別番号を検出して、正しく映像が表示されるように映像出力装置にて映像配置を変更する方法である（特許文献１参照）。また、特許文献２には、画面に表示されたウィンドウの位置関係について、表示装置を回転させても維持することが開示されている。
【先行技術文献】
【特許文献】
【０００３】
【特許文献１】特開２００８−２８１７１６号公報
【特許文献２】特開平０７−０２１４０１号公報
【発明の概要】
【発明が解決しようとする課題】
【０００４】
しかしながら、特許文献１に記載の技術では、映像配置を制御するために、映像出力装置が映像配置識別番号を出力し、映像表示装置ではカメラ等で映像配置識別番号を撮像して検出する必要がある。このため、システムのコスト上昇が問題となる。また、特許文献２に記載の技術は、複数の入力映像を表示装置側でレイアウトするものではない。
本発明は、映像表示装置の表示部の姿勢変更に応じて各映像の表示位置および解像度を変更することにより、映像の視認性を向上させることを目的とする。
【課題を解決するための手段】
【０００５】
本発明の一実施形態の映像表示装置は、複数の映像を表示手段の複数の表示領域に表示する映像表示装置であって、前記複数の映像に対応する複数の映像信号を入力する複数の入力手段と、前記表示手段の回転を検出することによって前記表示手段の姿勢変更を検出する検出手段と、前記検出手段によって前記表示手段の姿勢変更が検出された場合、前記複数の映像の表示解像度を制御する解像度制御手段と、前記検出手段によって前記表示手段の姿勢変更が検出された場合、前記複数の映像の表示位置を制御する表示位置制御手段と、前記表示位置制御手段の制御指令に従って、前記複数の映像信号と前記表示手段における複数の表示領域との間の対応関係を変更して前記表示手段が回転された方向とは反対方向に沿って前記複数の映像の配置を変更することにより、前記複数の映像信号に係る表示映像の相対的な位置関係を維持する映像配置変更手段を備える。
【発明の効果】
【０００６】
本発明によれば、映像表示装置の表示部の姿勢変更に応じて各映像の表示位置および解像度を変更することにより、映像の視認性を向上させることができる。
【図面の簡単な説明】
【０００７】
【図１】図２乃至７と併せて本発明の第１実施形態を説明するために、映像表示装置の概略構成を例示するブロック図である。
【図２】表示部の姿勢を変更する際の映像配置の変更処理例を示すフローチャートである。
【図３】横設置状態での表示解像度を例示する図である。
【図４】横設置状態での映像配置変更部の処理を説明する図である。
【図５】縦設置状態での表示解像度を例示する図である。
【図６】縦設置状態での映像配置変更部の処理を説明する図である。
【図７】横設置状態での表示例（Ａ）と縦設置状態での表示例（Ｂ）を示す図である。
【図８】図９および１０とともに本発明の第２実施形態を説明するために、映像表示装置の概略構成を例示するブロック図である。
【図９】表示部の姿勢を変更する際の処理例を示すフローチャートである。
【図１０】映像の回転およびスケーリング、さらに映像の中央寄せおよび並び替えについて説明する図である。
【発明を実施するための形態】
【０００８】
［第１実施形態］
図１は、本発明の第１実施形態に係る映像表示装置１００の構成例を概略的に示すブロック図である。
映像表示装置１００は超高解像度の映像を表示可能である。本例では、表示部を横長に設置した状態（以下、横設置状態という）にて横3840ピクセルおよび縦2160ピクセルの映像表示が行われる。また表示部を縦長に設置した状態（以下、縦設置状態という）にて横2160ピクセルおよび縦3840ピクセルの映像表示が行われる。さらには、４種類の高解像度（横1920ピクセル×縦1080ピクセル、または横1080ピクセル×縦1920ピクセル）の映像を各表示領域にて同時に表示可能である。
映像出力装置１２０が出力する複数の映像信号は、伝送ケーブルを介して映像表示装置１００にそれぞれ入力される。本例では４つの信号系統を示す。つまり、第１乃至第４の信号入力部１０１乃至１０４は、映像出力装置１２０と有線または無線通信で接続され、各映像入力信号にデコード処理をそれぞれ施して、映像配置変更部１１２に出力する。なお、本例では映像出力装置１２０を１台として説明するが、独立した複数の映像出力装置を用いた構成でもよい。
回転角度検出部１０５は、映像表示装置１００の表示部の回転角度を検出することで、表示部の姿勢が変更されたか否かを判定する。回転角度検出部１０５は表示部が縦設置状態であるか、または横設置状態であるかを判定し、判定結果を表示解像度制御部１０６および出力表示位置制御部１１１に出力する。
表示解像度制御部１０６は、回転角度検出部１０５からの判定情報に従って、第１乃至４の表示解像度記憶部１０７乃至１１０の表示可能解像度を更新する。表示解像度記憶部１０７乃至１１０は、映像表示装置１００で表示可能な解像度のデータ（以下、解像度データという）をそれぞれ記憶するメモリにより構成される。映像出力装置１２０は映像表示装置１００が表示可能な解像度の情報を参照するために、表示解像度記憶部１０７乃至１１０から解像度データを取得する。つまり、映像出力装置１２０は映像表示装置１００の各信号入力部１０１乃至１０４にてデコード可能な解像度を検出し、映像信号を出力する。なお、各信号入力部１０１乃至１０４は、表示解像度記憶部１０７乃至１１０から読み出した解像度データを映像出力装置１２０に送信する機能を有する。
出力表示位置制御部１１１は、回転角度検出部１０５からの判定情報に従って、信号入力部１０１乃至１０４と信号出力部１１３乃至１１６を結び付ける。つまり、第１乃至４の信号入力部１０１乃至１０４からの信号をそれぞれ、第１乃至４の信号出力部１１３乃至１１６のうちのどの信号出力部に出力するかを割り当てる制御が行われる。映像配置変更部１１２は、出力表示位置制御部１１１からの制御情報に従い、信号入力部１０１乃至１０４に対して信号出力部１１３乃至１１６を任意に接続する状態を変更可能なスイッチ素子を有する。各信号出力部１１３乃至１１６は、映像配置変更部１１２からの入力信号を受けて、パネル部１１７にて駆動可能な信号に変換して出力する。パネル部１１７は、入力された映像信号に従って映像表示を行う表示部である。
【０００９】
図２は、映像表示装置１００のパネル部１１７の姿勢を変更する際に映像配置を変更する処理手順を例示するフローチャートである。本処理は、ユーザが映像表示装置１００の電源を投入することを契機に開始する。
Ｓ２０１にて回転角度検出部１０５は、電源投入時のパネル部１１７が縦設置状態であるか、または横設置状態であるかを判定する。判定結果は、表示解像度制御部１０６および出力表示位置制御部１１１に送られる。ここでは、横設置状態が検出されたものとして説明する。Ｓ２０２で表示解像度制御部１０６は、回転角度検出部１０５からの判定結果を取得し、横設置状態が検出されたことを知る。図３は、横設置状態にて横3840ピクセルおよび縦2160ピクセルの解像度にて、各パネル領域（区分された表示領域）＃１乃至４の表示解像度を例示する。パネル領域＃１乃至４の各表示可能解像度は、横1920ピクセルおよび縦1080ピクセルであり、解像度データは表示解像度記憶部１０７乃至１１０にそれぞれ書き込まれる。
Ｓ２０３にて映像出力装置１２０は、表示解像度記憶部１０７乃至１１０から各信号入力部１０１乃至１０４を介して解像度データを取得して、横1920ピクセルおよび縦1080ピクセルの解像度をもつ映像信号を出力する。Ｓ２０４において、各映像の配置が決定される。映像配置変更部１１２は、出力表示位置制御部１１１からの制御指令に従って、信号入力部１０１乃至１０４と信号出力部１１３乃至１１６の接続関係を変更する。
【００１０】
図４は、横設置状態での映像配置変更部１１２の動作を説明する図である。本例では、以下に示す接続関係（対応関係）が確立される。
信号入力部                        信号出力部
＃１（１０１）                    ＃１（１１３）
＃２（１０２）                    ＃２（１１４）
＃３（１０３）                    ＃３（１１５）
＃４（１０４）                    ＃４（１１６）
なお、Ｎを自然数変数とするとき、＃Ｎは第Ｎ番目の信号系統を表し、括弧内の数字は対応する各部の符号をそれぞれ表す。例えば、＃１に示す第１信号入力部１０１からの信号は、対応する＃１に示す第１信号出力部１１３に出力されるように信号切り替え制御が行われる。パネル部１１７はその左上に位置するパネル領域＃１（図３参照）に映像表示を行う。
Ｓ２０５は、信号入力部１０１乃至１０４において、各映像信号が入力されているか否かの判定処理である。映像信号がそれぞれに対応した信号入力部１０１乃至１０４に入力されている場合、Ｓ２０６の処理に移行し、映像信号が未入力である場合には、Ｓ２０５の判定処理が繰り返される。
Ｓ２０６にて回転角度検出部１０５は、Ｓ２０１にて判定したときのパネル部１１７の姿勢が変更されたか否かを判定する。ここでは、横設置状態から縦設置状態への変更が検出されたものとする。この場合、Ｓ２０７に処理を進める。また姿勢変更が検出されない場合、Ｓ２０５に戻って処理を繰り返す。
【００１１】
図５は、縦設置状態における各パネル領域の表示解像度を示す。本例では、全画面で横2160ピクセルおよび縦3840ピクセルの解像度であり、４つのパネル領域＃１乃至４の解像度はそれぞれ、横1080ピクセルおよび縦1920ピクセルである。
図２のＳ２０７にて表示解像度制御部１０６は、図５に示すパネル領域＃１乃至＃４に表示可能な解像度（横1080ピクセル×縦1920ピクセル）のデータを表示解像度記憶部１０７乃至１１０にそれぞれ書き込む制御を行う。Ｓ２０８にて映像出力装置１２０は、表示解像度記憶部１０７乃至１１０の解像度データを再度取得し、横1080ピクセルおよび縦1920ピクセルの解像度をもつ各映像信号を出力する。Ｓ２０９にて各映像の配置が決定される。
【００１２】
図６は、縦設置状態での映像配置変更部１１２の動作を説明する図である。本例では、以下に示す接続関係（対応関係）が確立される。
信号入力部                        信号出力部
＃１（１０１）                    ＃２（１１４）
＃２（１０２）                    ＃４（１１６）
＃３（１０３）                    ＃１（１１３）
＃４（１０４）                    ＃３（１１５）
映像配置変更部１１２は、縦設置状態が検出された場合、例えば、＃１で示す第１信号入力部１０１からの信号を、＃２で示す第２信号出力部１１４に出力するように切り替える。これにより、回転後のパネル部１１７の左上に位置するパネル領域＃２に映像表示が行われる。他の映像信号も前記の接続関係に従って各信号出力部からパネル部１１７に出力され、対応するパネル領域にてそれぞれ映像表示が行われる。
【００１３】
図７（Ａ）は、横設置状態での各パネル領域＃１乃至４の表示映像例を示す。本例では＃１乃至４のパネル領域には「Ａ」、「Ｂ」、「Ｃ」、「Ｄ」がそれぞれ表示される。また、図７（Ｂ）は、縦設置状態での各パネル領域＃１乃至４の表示映像を例示する。本例では＃１乃至４のパネル領域には「Ｃ」、「Ａ」、「Ｄ」、「Ｂ」がそれぞれ表示されるが、表示画面上にて左上に「Ａ」、右上に「Ｂ」、左下に「Ｃ」、右下に「Ｄ」が表示される。これにより、画面上での各映像の配置は図７（Ａ）の場合と同様になる。つまり、横設置状態と縦設置状態との間で姿勢変更が行われた場合、映像配置についても回転方向及び角度に応じた変更が行われる。本例では、反時計回り方向の９０度回転による姿勢変更に対して、時計回り方向に沿って９０度の映像配置変更が行われる。パネル部１１７の姿勢変更が検出される前に表示されていた複数の映像の表示位置に対して、パネル部１１７の姿勢変更が検出された後に表示される複数の映像の表示位置が維持され、姿勢変更前後で各映像の相対的な位置関係は変わらない。よって、ユーザは提示された映像を違和感なく見ることができる。
第１実施形態によれば、映像表示装置１００の表示部の姿勢変化に応じて、表示解像度記憶部１０７乃至１１０の解像度データが更新される。さらに、表示部の姿勢変化に応じて各映像の表示位置および解像度が変更される。これにより、図７に示す通り、表示部の姿勢を変更しても、最大解像度にて映像表示が可能となる。さらには、縦設置状態と横設置状態での映像配置（表示映像の相対的な位置関係）が維持される。よって、複数の低解像度映像を画面に表示する場合や高解像度の映像を複数の部分に分割した映像を合成して画面に表示する場合に、表示部の姿勢を変更しても映像の視認性が低下することはない。
【００１４】
［第２実施形態］
次に、本発明に係る第２実施形態を説明する。第２実施形態では、表示部の姿勢変更が検出された場合に行う、映像の回転処理および拡大縮小（スケーリング）、並びに各映像を中央に寄せ集める処理について説明する。以下では、第１実施形態との相違点を主に説明し、第１実施形態の場合と同様の構成要素については既に使用した符号を用いることにより、それらの詳細な説明を省略する。
図８は、本発明の第２実施形態に係る映像表示装置１００の構成例を概略的に示すブロック図である。図８において、図１に示す構成との相違点は以下の通りである。
・入力映像制御部５０１が設けられており、回転角度検出部１０５からの判定情報を取得すること。
・信号入力部１０１乃至１０４に対し、入力映像回転部５０２乃至５０５、入力映像スケーリング部５０６乃至５０９、入力映像位置変更部５１０乃至５１３がこの順序で、４つの信号系統毎にそれぞれ設けられていること。
以下では、入力映像回転部を「映像回転部」と呼び、入力映像スケーリング部を「スケーリング部」と呼び、入力映像位置変更部を「位置変更部」と呼ぶことにする。
入力映像制御部５０１は、回転角度検出部１０５からの判定情報を取得し、映像回転部５０２乃至５０５に対して映像を回転させる要求（以下、回転要求という）をそれぞれ出力する。また入力映像制御部５０１は、回転した映像の画角サイズとパネル表示サイズを比較し、比較結果に応じてスケーリング部５０６乃至５０９に対して映像のスケーリングを行う要求（以下、スケーリング要求という）をそれぞれ出力する。また入力映像制御部５０１は、位置変更部５１０乃至５１３に対して、スケーリング処理後の映像の表示位置をパネル部１１７の中央に寄せる要求（以下、中央寄せ要求という）をそれぞれ出力する。
映像回転部５０２乃至５０５は、信号入力部１０１乃至１０４からの信号がそれぞれ入力され、入力映像制御部５０１からの回転要求に応じて各入力映像を回転させる。スケーリング部５０６乃至５０９は、映像回転部５０２乃至５０５の出力がそれぞれ入力され、入力映像制御部５０１からのスケーリング要求に応じて各入力映像に対してスケーリング処理を行う。位置変更部５１０乃至５１３は、スケーリング部５０６乃至５０９からの信号がそれぞれ入力され、入力映像制御部５０１からの中央寄せ要求に応じて入力映像の表示位置をパネル部１１７の中央に寄せる。
【００１５】
図９は、第２実施形態に係る映像表示装置１００にてパネル部１１７の姿勢変更が検出された場合に実行される処理手順を例示するフローチャートである。パネル部１１７の回転を契機に以下の処理が開始される。
Ｓ６０１において、入力映像制御部５０１は、回転角度検出部１０５にて検出した回転角度に応じた映像の角度情報を、映像回転部５０２乃至５０５と、スケーリング部５０６乃至５０９と、位置変更部５１０乃至５１３にそれぞれ出力する。Ｓ６０２にて映像回転部５０２乃至５０５は、対応する信号入力部１０１乃至１０４からの入力映像に回転処理を施し、Ｓ６０３の処理に移行する。
Ｓ６０３でスケーリング部５０６乃至５０９は、各パネル領域の画角サイズ（図３、図５参照）と、Ｓ６０２にて回転させた映像の画角サイズを比較する。比較結果に従い、該当するパネル領域から映像がはみ出すか否かが判定される。判定の結果、パネル領域から映像がはみ出すと判定された場合、Ｓ６０４に移行し、パネル領域から映像がはみ出さないと判定された場合には、Ｓ６０６に移行する。
Ｓ６０４でスケーリング部５０６乃至５０９は、回転させた映像について、そのはみ出し量を算出する。はみ出し量は、表示すべき映像がパネル領域に対して、どれだけの画素をもって、縦横のうちどちらの方向にはみ出すかを表す。次のＳ６０５に移行すると、スケーリング部５０６乃至５０９は、回転させた映像の縦横比を維持した状態で、当該映像がパネル領域からはみ出さないサイズに縮小する処理を行い、Ｓ６０８に処理を進める。
【００１６】
一方、Ｓ６０６でスケーリング部５０６乃至５０９は、パネル領域の画角サイズ（図３、図５参照）と、回転させた映像の画角サイズを比較する。回転させた映像の画角サイズが、表示画角に対して最大であるか否かについて判定される。そして、回転させた映像の画角サイズが、表示画角に対して最大でないと判定された場合は、Ｓ６０７に移行する。また、回転させた映像の画角サイズが表示画角に対して最大であると判定された場合には、Ｓ６０８に移行する。なお、Ｓ６０６の処理ではスケーリングの比率に基づいて判定される。
Ｓ６０７にて、スケーリング部５０６乃至５０９は、回転させた映像の縦横比を維持した状態で拡大処理を行う。本処理は、映像サイズがパネル領域の大きさを最大限に使用できるサイズとなるように行う拡大処理である。その後、Ｓ６０８に進む。Ｓ６０８にて位置変更部５１０乃至５１３は、スケーリング部５０６乃至５０９にてスケーリング処理を施された映像が、パネル部１１７の中央に位置するように出力表示位置を変更する。
上記処理の終了後、第１実施形態にて図２のＳ２０９で説明した処理と同様の処理により、各映像配置が決定される。映像配置変更部１１２はパネル部１１７の姿勢に応じて映像配置を行って各映像を並べ替える。これにより、姿勢変更の検出前に表示されていた複数の映像と、姿勢変更の検出後に表示される複数の映像との間で相対的な表示位置の関係が維持される。
【００１７】
図１０（Ａ）は横設置状態にてパネル部１１７に菱形を表示した例を示す。図１０（Ｂ）はパネル部１１７が反時計回り方向に９０度回転されて、その姿勢が縦設置状態に変更されたことが検出され、前記した映像の回転およびスケーリング処理が実行された後の表示映像を例示する。本例では、各パネル領域の映像に対して、姿勢変更の方向とは反対方向（時計回り方向）に９０度の回転、および図９のＳ６０５で説明した映像縮小処理が実行される。図１０（Ｃ）は、さらに各パネル領域の表示映像の位置を中央に寄せ集めて、配置変更により並べ替えた後の表示映像を例示する。この場合、図１０（Ｂ）に示す各パネル領域の映像が画面中央に寄せ集められて時計回り方向に沿ってシフトさせることで並べ替えられる。よって、図１０（Ａ）の菱形に対して相似形の、ひと回り小さな菱形がパネル部１１７の中央部に表示される。
第２実施形態によれば、パネル部１１７の姿勢変更に応じて、映像出力機器にて映像出力を変更する必要がなく、姿勢変更に応じた解像度での映像表示が可能となる。さらに、複数の映像の表示位置を変更し、中央に寄せて並べ替えることにより、映像の視認性が向上する。
【符号の説明】
【００１８】
１００  映像表示装置
１０１乃至１０４  信号入力部
１０５  回転角度検出部
１０６  表示解像度制御部
１０７乃至１１０  表示解像度記憶部
１１１  出力表示位置制御部
１１２  映像配置変更部
１１３乃至１１６  信号出力部
１１７  パネル部
１２０  映像出力装置
【図１】
0005836676.tif 000002
【図２】
0005836676.tif 000003
【図３】
0005836676.tif 000004
【図４】
0005836676.tif 000005
【図５】
0005836676.tif 000006
【図６】
0005836676.tif 000007
【図７】
0005836676.tif 000008
【図８】
0005836676.tif 000009
【図９】
0005836676.tif 000010
【図１０】
0005836676.tif 000011